(57)【要約】      （修正有）【課題】本、ＣＤ、ＤＶＤ等の商品を宣伝、広告して販売する場合に前記商品から離れた場所からでも消費者の目に留まり易くできると共に消費者の関心を喚起することができる商品宣伝広告用ダミー体を提供する。【解決手段】商品宣伝広告用ダミー体１０のダミー本体１２は発泡スチロールで立方体形状に一体形成されている。このダミー本体１２には宣伝広告する本の表紙と同じ文字や絵柄等が印刷された紙製のダミー本本カバー１４と本の宣伝コピーや広告コピー等が印刷された宣伝広告印刷シート１６が接着されている。【選択図】図１
0003167097.tif 000002
【実用新案登録請求の範囲】
【請求項１】
立方体形状に形成されたダミー本体と、このダミー本体に取り付けられたダミー本体カバーと、このダミー本体カバーに形成されて前記ダミー本体の第１面に接着されると共に宣伝広告する商品の第１面と同じ文字や絵柄等が印刷されたダミー表表紙と、前記ダミー本体カバーに形成されて前記ダミー本体の第２面に接着されると共に宣伝広告する商品の第２面と同じ文字や絵柄等が印刷されたダミー裏表紙と、前記ダミー本体カバーに形成されて前記ダミー本体の第３面に接着されると共に宣伝広告する商品の第３面と同じ文字や絵柄等が印刷されたダミー背表紙と、を有してなることを特徴とする商品宣伝広告用ダミー体。
【請求項２】
立方体形状に形成されたダミー本体と、このダミー本体に取り付けられたダミー本体カバーと、このダミー本体カバーに形成されて前記ダミー本体の第１面に接着されると共に宣伝広告する商品の第１面と同じ文字や絵柄等が印刷されたダミー表表紙と、前記ダミー本体カバーに形成されて前記ダミー本体の第２面に接着されると共に宣伝広告する商品の第２面と同じ文字や絵柄等が印刷されたダミー裏表紙と、前記ダミー本体カバーに形成されて前記ダミー本体の第３面に接着されると共に宣伝広告する商品の第３面と同じ文字や絵柄等が印刷されたダミー背表紙と、前記ダミー本体の第４面に取り付けられると共に宣伝広告する商品の宣伝コピーや広告コピー等が印刷された宣伝広告シートと、を有してなることを特徴とする商品宣伝広告用ダミー体。
【請求項３】
立方体形状に形成されたダミー本体と、このダミー本体に取り付けられたダミー本体カバーと、このダミー本体カバーに形成されて前記ダミー本体の第１面に接着されると共に宣伝広告する商品の第１面と同じ文字や絵柄等が印刷されたダミー表表紙と、前記ダミー本体カバーに形成されて前記ダミー本体の第２面に接着されると共に宣伝広告する商品の第２面と同じ文字や絵柄等が印刷されたダミー裏表紙と、前記ダミー本体カバーに形成されて前記ダミー本体の第３面に接着されると共に宣伝広告する商品の第３面と同じ文字や絵柄等が印刷されたダミー背表紙と、前記ダミー本体の第４面に取り付けられると共に宣伝広告する商品の宣伝コピーや広告コピー等が印刷された宣伝広告シートと、前記ダミー本体の下方に配設されて前記ダミー本体を保持するダミー本体保持台と、このダミー本体保持台に設けられて前記ダミー本体を固定する固定体と、を有してなることを特徴とする商品宣伝広告用ダミー体。
【考案の詳細な説明】
【技術分野】
【０００１】
本考案は、主に本、ＣＤ、ＤＶＤ等の商品を販売する場合に前記商品を宣伝、広告するために使用される商品宣伝広告用ダミー体に関する。
【背景技術】
【０００２】
販売を促進したい本、ＣＤ、ＤＶＤ等の商品を店頭に並べる場合は消費者の目に留まり易くするために店舗の入口近くに陳列台を設けて前記商品を多数平積みしたり、あるいは商品陳列棚の前列部に前記商品を多数平積みして前記商品の宣伝や広告を行っている。
しかし、前記本、ＣＤ、ＤＶＤ等の商品を平積みした場合、本、ＣＤ、ＤＶＤ等は横になって寝かされた状態になるので前記本、ＣＤ、ＤＶＤから少し離れると前記本、ＣＤ、ＤＶＤは消費者の目に留まり難く、前記本、ＣＤ、ＤＶＤを多数平積みしても宣伝、広告効果に欠けるという不具合がある。
また、販売を促進したい本、ＣＤ、ＤＶＤ等の商品を宣伝、広告する場合に上述したように陳列台に前記商品を多数平積みしたり、商品陳列棚の前列部に前記商品を多数平積みする手法は従来から広く行われており、販売促進を図る前記商品を宣伝、広告する場合においては消費者の関心を喚起するにはインパクトに欠ける。
【考案の概要】
【考案が解決しようとする課題】
【０００３】
本考案は、上記事実に鑑みなされたものであり、本、ＣＤ、ＤＶＤ等の商品を販売する場合に前記商品から離れた場所からでも前記商品が消費者の目に留まり易くすることができると共に消費者の関心を喚起することができる商品宣伝広告用ダミー体を提供するものである。
【課題を解決するための手段】
【０００４】
請求項１の考案は、立方体形状に形成されたダミー本体と、このダミー本体に取り付けられたダミー本体カバーと、このダミー本体カバーに形成されて前記ダミー本体の第１面に接着されると共に宣伝広告する商品の第１面と同じ文字や絵柄等が印刷されたダミー表表紙と、前記ダミー本体カバーに形成されて前記ダミー本体の第２面に接着されると共に宣伝広告する商品の第２面と同じ文字や絵柄等が印刷されたダミー裏表紙と、前記ダミー本体カバーに形成されて前記ダミー本体の第３面に接着されると共に宣伝広告する商品の第３面と同じ文字や絵柄等が印刷されたダミー背表紙と、を有してなることを特徴としている。
請求項２の考案は、立方体形状に形成されたダミー本体と、このダミー本体に取り付けられたダミー本体カバーと、このダミー本体カバーに形成されて前記ダミー本体の第１面に接着されると共に宣伝広告する商品の第１面と同じ文字や絵柄等が印刷されたダミー表表紙と、前記ダミー本体カバーに形成されて前記ダミー本体の第２面に接着されると共に宣伝広告する商品の第２面と同じ文字や絵柄等が印刷されたダミー裏表紙と、前記ダミー本体カバーに形成されて前記ダミー本体の第３面に接着されると共に宣伝広告する商品の第３面と同じ文字や絵柄等が印刷されたダミー背表紙と、前記ダミー本体の第４面に取り付けられると共に宣伝広告する商品の宣伝コピーや広告コピー等が印刷された宣伝広告シートと、を有してなることを特徴としている。
請求項３の考案は、立方体形状に形成されたダミー本体と、このダミー本体に取り付けられたダミー本体カバーと、このダミー本体カバーに形成されて前記ダミー本体の第１面に接着されると共に宣伝広告する商品の第１面と同じ文字や絵柄等が印刷されたダミー表表紙と、前記ダミー本体カバーに形成されて前記ダミー本体の第２面に接着されると共に宣伝広告する商品の第２面と同じ文字や絵柄等が印刷されたダミー裏表紙と、前記ダミー本体カバーに形成されて前記ダミー本体の第３面に接着されると共に宣伝広告する商品の第３面と同じ文字や絵柄等が印刷されたダミー背表紙と、前記ダミー本体の第４面に取り付けられると共に宣伝広告する商品の宣伝コピーや広告コピー等が印刷された宣伝広告シートと、前記ダミー本体の下方に配設されて前記ダミー本体を保持するダミー本体保持台と、このダミー本体保持台に設けられて前記ダミー本体を固定する固定体と、を有してなることを特徴としている。
【考案の効果】
【０００５】
本考案の商品宣伝広告用ダミー体は、販売する商品と同じ外装で立った状態を保持することができるので離れた場所からでも消費者の目に留まり易くすることができるという優れた効果を有する。
請求項２の商品宣伝広告用ダミー体は、前記優れた効果の他にダミー本体に宣伝広告シートが取り付けられているので宣伝広告する商品の関心を惹起することができるという優れた効果を有する。
請求項３の商品宣伝広告用ダミー体は、前記優れた効果の他にダミー本体をより安定した状態で置くことができるという優れた効果を有する。
【図面の簡単な説明】
【０００６】
【図１】第１実施例の商品宣伝広告用ダミー体の斜視図である。
【図２】第１実施例の商品宣伝広告用ダミー体の分解斜視図である。
【図３】第１実施例の商品宣伝広告用ダミー体を平積みした本の上に立てた状態の斜視図である。
【図４】第２実施例の商品宣伝広告用ダミー体の側面図である。
【考案を実施するための形態】
【０００７】
考案を実施するために最良の形態の例として以下のような実施例を示す。
【実施例１】
【０００８】
図１〜図３には本考案に係る商品宣伝広告用ダミー体の第１実施例が示されている。なお、この実施例では商品としての本を宣伝、広告して販売する場合を例にして説明する。
図１に示されるように、この商品宣伝広告用ダミー体１０は宣伝広告して販売する商品としての本１（図３参照）と同様に立体的に形成されている。
図２に示されるように、商品宣伝広告用ダミー体１０のダミー本体１２は発泡スチロールで立方体形状に一体形成されている。
このダミー本体１２には宣伝広告して販売する本１の表紙と同じ文字や絵柄等が印刷された紙製のダミー本体カバー１４が接着剤で取り付けられるようになっている。
このダミー本体カバー１４にはダミー表表紙１４Ａとダミー裏表紙１４Ｂとダミー背表紙１４Ｃが一体形成されている。前記ダミー表表紙１４Ａには宣伝広告して販売する本１の第１面としての表表紙と同じ文字や絵柄等が印刷されている。前記ダミー裏表紙１４Ｂには宣伝広告して販売する本１の第２面としての裏表紙と同じ文字や絵柄等が印刷されている。前記ダミー背表紙１４Ｃには宣伝広告して販売する本１の第３面としての背表紙と同じ文字や絵柄等が印刷されている。
また、前記ダミー本体１２には宣伝広告して販売する本１の宣伝コピー（宣伝文章等）や広告コピー（広告文章等）等が印刷された宣伝広告印刷シート１６が取り付けられるようになっている。
図１及び図２に示されるように、前記ダミー本体１２の第１面１２Ａには前記ダミー本体カバー１４のダミー表表紙１４Ａが対応して接着剤で接着されている。前記ダミー本体１２の第２面１２Ｂには前記ダミー本体カバー１４のダミー裏表紙１４Ｂが対応して接着剤で接着されている。前記ダミー本体１２の第３面１２Ｃには前記ダミー本体カバー１４のダミー背表紙１４Ｃが対応して接着剤で接着されている。
また、前記ダミー本体１２の第４面１２Ｄには前記宣伝広告印刷シート１６が接着剤で接着されている。
【０００９】
次に、第１実施例の商品宣伝広告用ダミー体１０の作用について説明する。
この商品宣伝広告用ダミー体１０のダミー本体１２は発泡スチロールで立方体形状に一体形成されているので、図３に示されるように平積みした本１の上に前記商品宣伝広告用ダミー体１０を立たせた状態で配設することができる。
前記商品宣伝広告用ダミー体１０を宣伝、広告して販売するために平積みされた本１の上に立たせると、商品宣伝広告用ダミー体１０は立体的であるので離れた場所からでも消費者の目に留まり易い。また、平積みされている本１の上に立った状態で商品宣伝広告用ダミー体１０を置くことにより消費者は本１を見なくてもダミー本体カバー１４のダミー表表紙１４Ａ、ダミー裏表紙１４Ｂ、ダミー背表紙１４Ｃを見ることにより平積みされている本１の題名、著者、出版社等を知ることができ本１に対する消費者の関心を惹起することができる。
さらに、消費者は商品宣伝広告用ダミー体１０の宣伝広告印刷シート１６を見ることにより本１に対する関心をより抱くことができる。
この結果、本１の宣伝、広告を効果的に行うことができ消費者が本１に関して関心を抱き本１を手にすることにより本１の販売促進を図ることができる。
また、前記商品宣伝広告用ダミー体１０は発泡スチロールで形成されたダミー本体１２と紙製のダミー本体カバー１４から構成されているため軽量であるので、宣伝、広告する本の商品見本として携帯することができセールスする場合の商品見本としても容易に使用することができる。
なお、前記商品宣伝広告用ダミー体１０は発泡スチロールで形成されたダミー本体１２に紙製のダミー本体カバー１４を接着して取り付けているので、他の本を宣伝、広告する場合はダミー本体１２からダミー本体カバー１４を剥がして新しい本のダミー本体カバー１４をダミー本体１２に接着できるので何度も使い回しができて便利かつ経済的である。
また、前記商品宣伝広告ダミー体１０には宣伝広告して販売する本１の宣伝コピーや広告コピー等が印刷された宣伝広告印刷シート１６が取り付けられているので、従来販売する本に本の宣伝コピーや広告コピーを印刷していた帯を不要にでき、本の製造効率を向上させると共に本の価格を抑えることが可能になる。
なお、実施例では商品宣伝広告用ダミー体１０は平積みされた本１の上に置いた場合について説明したが、商品宣伝広告用ダミー体１０を置く場所は本１の上に限定されるものでないことは勿論である。
【００１０】
図４には商品宣伝広告用ダミー体の第２実施例が示されている。なお、第１実施例の商品宣伝広告用ダミー体１０と同一の構成は同一の符号を用いてその説明を省略する。
図４に示されるように、第２実施例の商品宣伝広告用ダミー体２０はダミー本体保持台２２を備えている。
このダミー本体保持台２２の台本体２４は合成樹脂材で平面視円盤形状に形成されている。この台本体２４の上面には平面視円形の回転板２６が回転可能に設けられている。この回転板２６は前記台本体２４に内蔵された回転駆動装置（図示せず）によって回転可能となっている。
前記回転板２６の中央には金属製で先端が鋭い固定体としての突起体２８が突設して設けられている。この突起体２８は発泡スチロールで形成されたダミー本体１２に突き刺されており、これによりダミー本体１２は取り付けられている。
前記商品宣伝広告用ダミー体２０は前記ダミー本体保持台２２を備えているので商品宣伝広告用ダミー体２０はより一層安定した状態で平積みした本１の上に置くことができる。
また、前記回転板２６を回転させてダミー本体１２を回転させることにより、より一層、消費者の関心を惹起することができ、宣伝、効果を向上させることができる。
なお、他の作用、効果は第１実施例の商品宣伝広告用ダミー体１０と同一であるので説明は省略する。
【００１１】
なお、実施例では商品として本１を宣伝、広告して販売する場合を例にして商品宣伝広告用ダミー体１０，２０の説明をしたが、商品宣伝広告用ダミー体１０，２０は本１を宣伝、広告して販売する場合に限定されるものでなくＣＤやＤＶＤ等の他の商品を宣伝、広告して販売する場合に使用してもよいことは勿論である。
例えば、ＣＤを宣伝、広告して販売する場合はこのダミー本体１２には宣伝広告するＣＤのＣＤジャケットと同じ文字や絵柄等が印刷された紙製のダミー本体カバー１４が接着剤で取り付けられるようになっている。
その場合、ダミー本体カバー１４のダミー表表紙１４Ａには宣伝広告して販売するＣＤのＣＤジャケットの第１面と同じ文字や絵柄等が印刷され、前記ダミー裏表紙１４Ｂには宣伝広告して販売するＣＤのＣＤジャケットの第２面と同じ文字や絵柄等が印刷され、前記ダミー背表紙１４Ｃには宣伝広告して販売するＣＤの第３面と同じ文字や絵柄等が印刷されている。
また、前記ダミー本体１２には宣伝広告して販売するＣＤの宣伝コピー（宣伝文章等）や広告コピー（広告文章等）等が印刷された宣伝広告印刷シート１６を取り付けることができるようになっている。
【００１２】
なお、実施例では前記ダミー本体１２を発泡スチロールで形成したが、ダミー本体１２は軽量であれば他の合成樹脂材やコルク等の他の材料でもよく発泡スチロールに限定されないことは勿論である。
【産業上の利用可能性】
【００１３】
本考案の商品宣伝広告用ダミー体は、本を宣伝、広告して販売する場合だけでなく、ＣＤやＤＶＤ等の商品を販売する場合にも使用することができる。
【符号の説明】
【００１４】
１０    商品宣伝広告用ダミー体
１２    ダミー本体
１２Ａ  第１面
１２Ｂ  第２面
１２Ｃ  第３面
１２Ｄ  第４面
１４    ダミー本体カバー
１４Ａ  ダミー表表紙
１４Ｂ  ダミー裏表紙
１４Ｃ  ダミー背表紙
１６    宣伝広告印刷シート
２０    商品宣伝広告用ダミー体
２２    ダミー本体保持台
２４    台本体
２６    回転板
２８    突起体
【図１】
0003167097.tif 000003
【図２】
0003167097.tif 000004
【図３】
0003167097.tif 000005
【図４】
0003167097.tif 000006